(57)【要約】【課題】可撓性チューブ等によって形成されたカテーテルを、側方に首を振らないように突出させて容易かつ正確に目標部位に誘導することができる側方視型内視鏡の処置具起上片を提供すること。【解決手段】処置具起上片１０を回動中心軸１２の軸線１２ｘ方向から見たとき、土手状部１３が、処置具誘導路１１の両端位置の底面どうしを真っ直ぐに結ぶ仮想線Ａより中間部分において高く突出する山形状に形成され、処置具誘導路１１の底面からの土手状部１３の高さＨが、最も高い部分において処置具起上片１０の厚みＷの２分の１以上あるように形成されている。【選択図】      図１
2004236715.tif 000002
【特許請求の範囲】
【請求項１】
内視鏡の挿入部の基端に連結された操作部からの遠隔操作によって回動するように上記挿入部の先端部分に回動中心軸を中心に回動自在に配置され、処置具挿通チャンネルから突出される処置具類の先端部分を誘導するための処置具誘導路が上記回動中心軸の軸線方向から見て凹曲線を描く形状に形成されると共に、上記処置具誘導路から上記処置具が外れるのを防止するための土手状部が上記処置具誘導路の両側部分に突出形成された側方視型内視鏡の処置具起上片において、
上記回動中心軸の軸線方向から見たとき、上記土手状部が、上記処置具誘導路の両端位置の底面どうしを真っ直ぐに結ぶ仮想線より中間部分において高く突出する山形状に形成されていることを特徴とする側方視型内視鏡の処置具起上片。
【請求項２】
上記処置具誘導路の底面からの上記土手状部の高さが、最も高い部分において上記処置具起上片の厚みの２分の１以上ある請求項１記載の側方視型内視鏡の処置具起上片。
【発明の詳細な説明】
【０００１】
【発明の属する技術分野】
この発明は側方視型内視鏡の処置具起上片に関する。
【０００２】
【従来の技術】
側方視型内視鏡には一般に、処置具挿通チャンネルから突出される処置具類の先端部分を誘導するための処置具誘導路が形成された処置具起上片が、挿入部の基端に連結された操作部からの遠隔操作によって回動するように挿入部の先端部分に回動中心軸を中心にして回動自在に配置されている。
【０００３】
図６は、そのような処置具起上片１０が配置された従来の側方視形内視鏡の先端部を示しており、挿入部１の先端部本体２に形成された処置具突出溝３内に処置具起上片１０が配置されている。４は、処置具１００が挿通される処置具挿通チャンネルである。
【０００４】
処置具起上片１０には、処置具誘導路１１が、回動中心軸１２の軸線１２ｘ方向から見て凹曲線を描く形状（図６に図示される形状）に形成されると共に、処置具誘導路１１から処置具１００の先端部分１００ａが外れるのを防止するための土手状部１３が、処置具誘導路１１の両側部分に突出形成されている（例えば、特許文献１）。
【０００５】
【特許文献１】
特開２０００−２０８、図１
【０００６】
【発明が解決しようとする課題】
内視鏡用処置具の一つである造影チューブ等のようなカテーテルは一般に、四フッ化エチレン樹脂チューブ等の単純な可撓性チューブによって形成されており、そのようなカテーテルの先端部分は、側方視型内視鏡の処置具挿通チャンネルに通されて処置具突出溝内で方向を変えながら突出される際に、カーブした状態の曲がり癖が付く。
【０００７】
そして、金属コイルシース等のように腰の強くないカテーテルは、余裕のある空間内ではふらつき易いため、曲がり癖の付いたカテーテルは処置具起上片の処置具誘導路の土手状部に乗り上げた状態になって、先端がある程度側方に首を振った状態になってしまう場合が少なくない。
【０００８】
図７はその状態を示しており、処置具突出溝３から突出されるカテーテル１００の先端部分１００ａは、処置具突出溝３の中心線３ｘに沿うのではなく、処置具突出溝３の側部の方に次第に偏位して外方にカーブした状態になってしまう。
【０００９】
そして、カテーテル１００を処置具起上片１０で起上させていくと、カテーテル１００は、強く曲げられるにしたがって自己の弾性により生じる反発力が大きくなるので、相当な程度まで起上された時点で処置具起上片１０の処置具誘導路１１の底部（即ち、処置具突出溝３の中心線３ｘ位置）に滑り落ちる。
【００１０】
そのような動作は、内視鏡の観察画面中においてカテーテル１００の先端部分１００ａが大きく飛び跳ねるように映し出され、カテーテル１００の先端部分１００ａが目標部位の方に向く直前に突然そのようなことが起きるので、誘導操作のやり直し（そして、場合によっては飛び跳ねの再発）になり、カテーテル１００の誘導がままならなくなってしまう場合がある。
【００１１】
そこで本発明は、可撓性チューブ等によって形成されたカテーテルを、側方に首を振らないように突出させて容易かつ正確に目標部位に誘導することができる側方視型内視鏡の処置具起上片を提供することを目的とする。
【００１２】
【課題を解決するための手段】
上記の目的を達成するため、本発明の側方視型内視鏡の処置具起上片は、内視鏡の挿入部の基端に連結された操作部からの遠隔操作によって回動するように挿入部の先端部分に回動中心軸を中心に回動自在に配置され、処置具挿通チャンネルから突出される処置具類の先端部分を誘導するための処置具誘導路が回動中心軸の軸線方向から見て凹曲線を描く形状に形成されると共に、処置具誘導路から処置具が外れるのを防止するための土手状部が処置具誘導路の両側部分に突出形成された側方視型内視鏡の処置具起上片において、回動中心軸の軸線方向から見たとき、土手状部が、処置具誘導路の両端位置の底面どうしを真っ直ぐに結ぶ仮想線より中間部分において高く突出する山形状に形成されているものである。
【００１３】
なお、処置具誘導路の底面からの土手状部の高さが、最も高い部分において処置具起上片の厚みの２分の１以上あるように形成すれば、カテーテルの首振りをより確実に防止することができる。
【００１４】
【発明の実施の形態】
図面を参照して本発明の実施例を説明する。
図５は側方視型内視鏡の全体構成を示しており、可撓性の挿入部１の先端には、先端部本体２が連結され、挿入部１の基端には操作部５が連結されている。
【００１５】
挿入部１内には、断面形状が円形の可撓性チューブからなる処置具挿通チャンネル４が全長にわたって挿通配置されていて、操作部５に配置された入口から処置具挿通チャンネル４内に処置具１００を挿入することにより、処置具１００の先端部分１００ａが挿入部１の先端から突出する。操作部５には、そのような処置具１００の先端部分１００ａの突出方向を遠隔操作によって調整するための操作レバー６が配置されている。
【００１６】
図１は、挿入部１の先端部の側面断面図であり、先端部本体２の側面に開口するように前後方向に細長く形成された処置具突出溝３内には、処置具突出溝３の幅に内接する処置具起上片１０が回動中心軸１２を中心に回動自在に支持されている。
【００１７】
そして処置具起上片１０には、処置具誘導路１１が、回動中心軸１２の軸線１２ｘ方向から見て凹曲線を描く形状（図１に示されるように、前方に向かうにしたがって次第に外方に向く形状）に形成されて、処置具挿通チャンネル４から突出される処置具の先端部分が処置具誘導路１１に沿って誘導されるようにレイアウトされている。
【００１８】
処置具誘導路１１の底面は、処置具の進行方向に沿う方向から見て、ＩＩ−ＩＩ断面を図示する図２に示されるように、処置具挿通チャンネル４の内径と略同程度の径の円弧状に形成されている。
【００１９】
そして、処置具誘導路１１から処置具が外れるのを防止するための土手状部１３が、処置具誘導路１１の両側部分に処置具誘導路１１から段差のないように連続した状態に突出形成されている。
【００２０】
この土手状部１３は、図１に示されるように、回動中心軸１２の軸線１２ｘ方向から見たとき、処置具誘導路１１の前後両端位置の底面どうしを真っ直ぐに結ぶ仮想線Ａより中間部分において高く突出する山形状に形成されている。
【００２１】
このように、処置具起上片１０の土手状部１３を処置具誘導路１１の中間部分で仮想線Ａより高く突出する山形状に形成することにより、処置具が簡単には土手状部１３に乗り上げ難くなる。
【００２２】
また、図２に示されるように、処置具誘導路１１の底面からの土手状部１３の高さＨが、最も高い部分において処置具起上片１０の厚みＷの２分の１以上ある（即ち、Ｈｍａｘ  ≧Ｗ／２）ように形成されている。
【００２３】
処置具起上片１０の厚みＷは、処置具を緩く通過させることができる程度の寸法なので、土手状部１３の高さＨをＨｍａｘ  ≧Ｗ／２に設定することにより、土手状部１３の最高高さＨｍａｘ  が処置具の半径より大きくなり、処置具が土手状部１３に乗り上げるのが非常に困難になる。
【００２４】
このように構成された処置具起上片１０には、操作部５に配置されている操作レバー６によって進退操作される操作ワイヤ（図示省略）が、回動中心軸１２から離れた位置に連結されており、操作ワイヤが操作レバー６によって操作部５側に牽引操作されると、処置具起上片１０が回動中心軸１２を中心に矢印Ｂ方向に回動する。
【００２５】
図３は、上述のように構成された処置具起上片１０の処置具誘導路１１に沿って、処置具（ここでは、四フッ化エチレン樹脂等のような単純な可撓性チューブからなるカテーテル）１００の先端部分１００ａが突出される際の状態を示す側面断面図、図４はその平面図である。図４に示される７は観察窓、８は照明窓である。
【００２６】
処置具挿通チャンネル４から突出されたカテーテル１００の先端部分１００ａは、処置具起上片１０の処置具誘導路１１に案内されてカーブしながら処置具突出溝３から外方に突出するが、土手状部１３が上述のような形状、寸法に形成されていることにより、カテーテル１００の先端部分１００ａは土手状部１３に乗り上げる状態にならず、その結果、ほぼ処置具突出溝３の中心線３ｘ方向に横振れなく突出する。
【００２７】
したがって、その状態から、図３に矢印Ｂで示されるようにカテーテル１００を処置具起上片１０により起上させていくと、カテーテル１００の先端部分１００ａが素直に起上方向に移動するので、カテーテル１００の先端部分１００ａを目標部位に容易かつ正確に誘導することができる。
【００２８】
【発明の効果】
本発明によれば、処置具起上片を回動中心軸の軸線方向から見たとき、土手状部が、処置具誘導路の両端位置の底面どうしを真っ直ぐに結ぶ仮想線より中間部分において高く突出する山形状に形成されていることにより、可撓性チューブ等によって形成されたカテーテルが土手状部に乗り上げ難くなるので、カテーテルを側方に首を振らないように突出させて目標部位に容易かつ正確に誘導することができる。
【００２９】
そして、処置具誘導路の底面からの土手状部の高さを、最も高い部分において処置具起上片の厚みの２分の１以上にすれば、カテーテルが土手状部に乗り上げるのが非常に困難になり、カテーテルの突出がより安定して目標部位に対する誘導をさらに容易かつ正確に行うことができる。
【図面の簡単な説明】
【図１】本発明の実施例の側方視型内視鏡の先端部の側面断面図である。
【図２】本発明の実施例の側方視型内視鏡の処置具起上片の図１におけるＩＩ−ＩＩ断面図である。
【図３】本発明の実施例の側方視型内視鏡の先端部からカテーテルが突出する際の状態の側面断面図である。
【図４】本発明の実施例の側方視型内視鏡の先端部からカテーテルが突出する際の状態の平面図である。
【図５】本発明の実施例の側方視型内視鏡の全体構成を示す外観図である。
【図６】従来の側方視型内視鏡の先端部の側面断面図である。
【図７】従来の側方視型内視鏡の先端部からカテーテルが突出する際の状態の平面図である。
【符号の説明】
１  挿入部
２  先端部本体
３  処置具突出溝
４  処置具挿通チャンネル
１０  処置具起上片
１１    処置具誘導路
１２  回動中心軸
１２ｘ  軸線
１３  土手状部
１００  処置具（カテーテル）
１００ａ  先端部分
Ａ  仮想線
Ｈ  土手状部の高さ
Ｗ  処置具起上片の厚み
【図１】
2004236715.tif 000003
【図２】
2004236715.tif 000004
【図３】
2004236715.tif 000005
【図４】
2004236715.tif 000006
【図５】
2004236715.tif 000007
【図６】
2004236715.tif 000008
【図７】
2004236715.tif 000009